Podtech/llm-jp-corpus-v4-ja_patent huggingface dataset:
(57)【要約】      （修正有）【課題】水彩用パレットを持ち運ぶときにパレットの中の絵具が流れだして混合してしまうのを防ぐことができる、同時に絵具の乾燥防止、カビ防止にも効果のある水彩用パレットを提供する。【解決手段】パレット内の絵具溜め３を一ヶ所にまとめ、絵具調合スペースと分離し絵具溜め部の上面を全面覆うカバー５を設けた水彩用パレットにおいて、カバーの方式を、弾力性ゴムの圧接方式、又は、キャップ蓋方式とし、カバーの材質を、弾力性のあるゴム、プラスチック、又は、金属としたことを特徴とする。【選択図】図１
0003194992.tif 000002
【実用新案登録請求の範囲】
パレット内の絵具溜めを一ヶ所にまとめ、絵具調合スペースと分離し絵具溜め部の上面を全面覆うカバーを設けたことを特徴とする、水彩用パレット。
本考案ではカバーの方式を、弾力性ゴムの圧接方式で説明したが、これは密着性のよいキャップ蓋の様な方式であっても良く材質もプラスチック、金属などに代替可能である。
基本的に絵具溜めの上面をカバーを付けた水彩用パレットという考案が申請の範囲である。
【考案の詳細な説明】
【技術分野】
【０００１】絵具をチューブからパレットに出したまま持ち運びが出来るパレットを提供する。
【考案が解決しようとする課題】
【０００２】１）従来の絵具溜めにカバーの無いパレットでは、チューブからパレットに出された絵具は液体と固体の間のクリーム状であるために、運搬中に起きるパレットの表裏反転、上下傾斜、揺れなどの位置変化に伴い絵具が絵具溜めから流出し色が混じってしまい、描画が困難となる問題があった。
２）従来のパレットに出された絵具は、放置されると絵具内部の水分が蒸発して絵具が固まってしまい描画が困難となる問題があった。
３）従来のパレットでは、放置されると保管される環境によっては絵具にカビが発生することがあり、描画を困難にさせる問題があった。
【課題を解決するための手段】
【０００３】本考案は上記課題を解決させるためにパレット内の絵具溜めを一か所に集めこの部分にカバーを設けることにより解決を図るものである。
【考案の効果】
【０００４】この考案の効果として下記の３項目があげられる。
１）弾力性のあるゴム製のカバーが絵具溜めに圧接されるためにパレット運搬中にバレットがひっくり返ったりしても絵具が流出することが無い。
２）弾力性のあるゴム製のカバーが絵具溜めに圧接されるため従来のパレットに比べて密閉性がよく絵具の乾燥を遅らせることが出来る。
３）弾力性のあるゴムカバーに防カビスプレーを施すなど防カビ処理を行うことによりカビの発生を予防させることが出来る。
【考案を実施するための最良の形態】
【０００５】以下考案の実施形態について図１〜図２に基図いて実施例及び使用法を説明する。
【実施例】
【０００６】図１は本考案のパレットを開いて上部から見た図である。
パレットは本体１と本体２の２つの部材から構成されている。本体１と本体２は４のヒンジ部分によって結合され開閉が可能な構造となっている。【０００７】絵具溜め３と本体２とは一体構造になっている、絵具溜め３に色ごとに絵具が収納される。本体１と本体２のその他のスペースは混色のための絵具の調合スペースとして使われる。【０００８】絵具溜めカバーは弾性のあるゴムで作られていてパレット本体１とは別体であるが、嵌めこまれている。
カバー５は本体１の深さより少し厚く出来ているために本体１と本体２とを折りたたんだ時には絵具溜めの上面の全体を圧接して絵具溜めを密閉できる。。【０００９】図２はヒンジを中心に本体１と本体２が相対しパレットが閉じられた状態のＡ−Ａ断面を示している。
この状態で本体１および本体２に併設された引っかけフック６引っかけ突起７の作用でパレットの開放を防止できる。
【図面の簡単な説明】
【００１０】
【図１】本考案パレットの開いた上面視。
【図２】本考案パレットの閉じられた状態でのＡ−Ａ断面視。
【符号の説明】
【００１１】１、パレット本体、カバー側。
２、パレット本体、絵具溜め側。
３、絵具溜め。
４、ヒンジ。
５、絵具溜めカバー。
６、パレット折りたたみ時の開き防止引っかけフック。
７、パレット折りたたみ時の開き防止引っかけ突起。
【図１】
0003194992.tif 000003
【図２】
0003194992.tif 000004
【手続補正書】
【提出日】平成26年9月25日(2014.9.25)
【手続補正１】
【補正対象書類名】実用新案登録請求の範囲
【補正対象項目名】全文
【補正方法】変更
【補正の内容】
【実用新案登録請求の範囲】
【請求項１】
パレット内の絵具溜めを一ヶ所にまとめ、絵具調合スペースと分離し絵具溜め部の上面を全面覆うカバーを設けた水彩用パレットにおいて、カバーの方式を、弾力性ゴムの圧接方式、又は、キャップ蓋方式とし、カバーの材質を、弾力性のあるゴム、プラスチック、又は、金属としたことを特徴とする水彩用パレット。
(57)【要約】      （修正有）【課題】携帯電話に、自由に簡単に取り付けることが出来る手のひらミラーを提供する。【解決手段】鏡の表面及び裏面のそれぞれの一端部及び一端部と対向する他端部に滑り止めシ−トを設けたことを特徴とする。滑り止めシ−トは、取付、取りはがしが、自由に利くので、仕舞う時は、表裏を反対にして貼り付けると、鏡面も汚れず、見た目にも良い。【選択図】図１
0003194996.tif 000002
【実用新案登録請求の範囲】
【請求項１】
携帯電話機（スマホ）等に、貼り付ける、滑り止めシ−ト（市販）加工の鏡
【考案の詳細な説明】
【考案の詳細な説明】
何時も持ち歩く、携帯電話（スマホ）等に、何とか鏡を取り付けること、が出来ないものかと思い、考案したものである。イ  携帯電話（スマホ）等の大きさに合った鏡を用意して、滑り止めシ−トで周囲を加工すれば出来上がり。ロ  鏡の形ちは、丸でも、、四角でも自由。ハ  鏡の材質は、割れにくい物が、望ましい。。ニ  鏡を加工した。滑り止めシ−トは、取付、取りはがしが、自由に利くので、仕舞う時は、表裏を反対にして貼り付けると、鏡面も汚れず、見た目にも良い。
【図面の簡単な説明】
【図１】手のひらミラ−の鏡面
【図２】手のひらミラ−の裏面
【図３】携帯電話機の斜視図
【図１】
0003194996.tif 000003
【図２】
0003194996.tif 000004
【図３】
0003194996.tif 000005
【手続補正書】
【提出日】平成26年10月2日(2014.10.2)
【手続補正１】
【補正対象書類名】実用新案登録請求の範囲
【補正対象項目名】全文
【補正方法】変更
【補正の内容】
【実用新案登録請求の範囲】
【請求項１】
鏡の表面及び裏面のそれぞれの一端部及び一端部と対向する他端部に滑り止めシ−トを設けたことを特徴とする手のひらミラ−。
(57)【要約】      （修正有）【課題】使用するときは、マヨネーズ容器を安定的に固定でき、使用しないときは、マヨネーズ容器と一体化させて冷蔵庫等にコンパクトに収納することにより、別々に出し入れする煩わしさを無くしたマヨネーズ容器立てを提供する。【解決手段】二つの同じような形態の円錐状又は多角錘上の筒１を用い、狭いほうの口どうしについて、それらの直径に差をもたせて、使用時は片方をもう一方に差し入れることによって互いに連結固定できるようにし、使用しない時は二つの筒を重ね合わせてマヨネーズ容器４に被せることができるようにした。【選択図】図３
0003194993.tif 000002
【実用新案登録請求の範囲】
【請求項１】
二つの同じような形態の円錐状又は多角錘上の筒を用い、狭いほうの口どうしを、互いに連結固定できるようにし、又、二つの筒を重ねることを可能としたマヨネーズ容器立て
【請求項２】
請求項１において、狭いほうの口を一つは外側に、もう一方は内側にねじを切り、二つの筒をそのねじで連結固定可能としたマヨネーズ容器立て
【考案の詳細な説明】
【技術分野】
【０００１】
本考案は、使用しないときは邪魔にならないようにマヨネーズ容器と一体化して冷蔵庫等にコンパクトに収納出来、使用時は、しっかりとマヨネーズ容器を支えることが可能なマヨネーズ容器立てに関するものである。
【背景技術】
【０００２】
マヨネーズは空気に触れていると変質しやすい。そのためか、マヨネーズ容器は通常柔らかいプラスチックで作られていて、使用するに従って容器が縮んでゆき、立てて置くことが困難となってくる。又、容器に空気を入れて元の状態にしておく場合は立てて置けるが、次に使用するときマヨネーズを搾り出しにくい。この場合、上下逆においておくと便利であるが、非常に不安定である。そのため、いずれの場合も容器を立てておく器具が無いと不便である。そこで、陶器などで作られた円錐状のマヨネーズ立てと称するものが従来市販されている。
【０００３】
ところで、マヨネーズは常時使用されるものではなく、また、腐敗を防止するために、通常は冷蔵庫に収納されている。しかしながら、従来のマヨネーズ立ては、かさばってマヨネーズ容器と共に冷蔵庫に収納するには向かないので、食卓上等に置き去りにされざるを得ない。この空となったマヨネーズ立ては邪魔で、しかも目障りな存在となるので、その都度マヨネーズとは別に食器棚等にしまわれるなどしていると想像されるが、いちいち出したり入れたりが面倒である。そのため、そのうちに行方がわからなくなったりする。従来のマヨネーズ立ては、以上のような欠点があった。
【考案の概要】
【考案が解決しようとする課題】
【０００４】
解決しようとする問題点は、使用しないときはマヨネーズ容器と一体化してコンパクトに冷蔵庫等に収納出来、使用するときは安定してマヨネーズ容器を支えることを可能とする点にある。
【課題を解決するための手段】
【０００５】
本考案は、二つの円錐状又は多角錘上の筒を用い、この二つの筒を、向い合わせ、及び同じ向きに連結可能としたことを特徴とする。
【考案の効果】
【０００６】
本考案において、マヨネーズ容器立てとして使用するときは、二つの筒を向い合わせにして連結固定し、上下に立てて使用することにより、マヨネーズ容器を安定的に固定でき、使用しないときは、二つの筒を同じ向きに重ね合わせてマヨネーズ容器に被せることにより、マヨネーズ容器と一体化させて冷蔵庫等にコンパクトに収納することが出来るため、マヨネーズとマヨネーズ容器立てと別々に出し入れする煩わしさが無くなるという利点がある。
【０００７】
さらに、本考案において、結合部をネジ状にすることにより、脱着が容易かつ確実に出来るようになる。
【図面の簡単な説明】
【０００８】
【図１】図１は円錐状を採用した二つの筒の図である。
【図２】図２はマヨネーズ容器立てとして使用する場合の図である。（実施例１）
【図３】図３はマヨネーズ容器と共に収納する場合の図である。（実施例２）
【図４】図４は連結部をネジ状にした場合の断面図である。
【考案を実施するための形態】
【０００９】
二つの同じような形態の円錐状又は多角錘上の筒を用い、狭いほうの口どうしを、互いに連結固定できるようにし、又、二つの筒を重ねて一体化することを可能とした。
【実施例１】
【００１０】
図２は、二つの筒を連結させ、マヨネーズ容器立てとして使用する場合において、マヨネーズ容器を上下逆に筒に差し込み、立てた図である。
【実施例２】
【００１１】
図３は、マヨネーズ容器立てとして使用しない場合において、マヨネーズ容器と共に収納する場合における、容器にかぶせて容器と一体化させた図である。
【産業上の利用可能性】
【００１２】
マヨネーズだけでなく、ケチャップ等、同様の容器を使用した他の場合においても適用できる。
【符号の説明】
【００１３】
１    筒
２    接合部
３    ネジ部
４    マヨネーズ容器
５    マヨネーズ容器の蓋部
【図１】
0003194993.tif 000003
【図２】
0003194993.tif 000004
【図３】
0003194993.tif 000005
【図４】
0003194993.tif 000006
【手続補正書】
【提出日】平成26年10月14日(2014.10.14)
【手続補正１】
【補正対象書類名】実用新案登録請求の範囲
【補正対象項目名】請求項１
【補正方法】変更
【補正の内容】
【請求項１】
二つの同じような形態の円錐状又は多角錘上の筒を用い、狭いほうの口どうしについて、片方をもう一方に差し入れることによって互いに連結固定できるように、それらの直径に差をもたせて、二つの筒を重ね合わせることを可能としたマヨネーズ容器立て
(57)【要約】      （修正有）【課題】施工箇所の狭い入隅部分を施工出来る様に脱着可能な異形のブレードの位置を施工箇所に応じて選択できるようにした補修地ベラを提供する。【解決手段】握り手部１の先端に螺子穴とこの螺子穴に螺合する螺子３を有する異形のブレード４の保持部を形成し、前記螺子穴に整合するように開けられた貫通穴６及びスリッド７を有する異形のブレード４の位置を施工箇所に適するように選択的に合わせ、螺子３により締着している。【選択図】図１
0003194905.tif 000002
【実用新案登録請求の範囲】
【請求項１】
握り手部と異形のブレードからなる補修地ベラにおいて、上記握り手部の先端に螺子穴とこの螺子穴に螺合する螺子を有する異形のブレードの保持部を形成し、前記螺子穴に整合するように開けられた貫通穴及びスリッドを有する異形のブレードの位置を選択的に合わせ、前記螺子により締着したことを特徴とする補修地ベラ。
【考案の詳細な説明】
【技術分野】
【０００１】本考案は、壁紙を貼った際の壁紙の余剰部分を切断する為の道具で、握り手部と異形ブレードを着脱可能に取り付けられる、補修地ベラに関するものである。
【背景技術】
【０００２】従来、上下の壁紙の接し合うジョイントを仕上げるには、隣り合う上下の壁紙のジョイント部を数センチ重ね合わせた後、地ベラの先端を押し当てヘラ板の先端側縁に沿いカッターナイフの刃先を移動させて、重ね切断し壁紙の余剰部分を取り除いており、一般的には３００ｍｍ程度の地ベラを用いている。
また施工箇所が狭い入隅部分等を切断する時には１００ｍｍ前後の小さな地ベラを用いて施工しているが、現場や壁紙の種類によっては地ベラのブレードの厚みや長さを変える必要があり地ベラを数種類も持参して施工している。
【先行技術文献】
【特許文献】
【０００３】
【特許文献１】実用平４−２４９４２号公報
【考案の概要】
【考案を解決しようとする課題】
【０００４】壁紙には紙系の物やビニール系の物等いくつもの種類があり、壁紙によって地ベラの厚みを使い分ける必要があり、施工する現場の支持によっても地ベラの厚み等を変える必要がある。また、施工箇所の特に狭い部分を施工するのに一般的な地ベラでは大きすぎて施工が出来なく１００ｍｍ前後の小さな地ベラでもその狭い隙間に地ベラが入らず壁紙を切り落とすことが出来ない場合がある。また、小さな地ベラをいくつも購入する費用の負担も増えるので、これらの問題と費用の負担を軽減しようとするものである。
【課題を解決するための手段】
【０００５】本考案は上記目的を達成するために、握り手部の巾広の先端にブレードを保持する段差を有するブレードの保持部を形成し、上記ブレードの保持部に螺子穴とこの螺子穴に螺合する螺子を設けている。
【０００６】そして、前記握り手部の螺子穴に整合する貫通穴とスリッドを複数個有する異形のブレードをブレードの保持部に当接し、螺子で締着して上記の問題を解決している。
【考案の効果】
【０００７】上述のように本考案の補修地ベラは握り手部と異形ブレードが螺子により脱着可能になっているので例えば形状や厚みの違うブレードに交替したい場合、形状や厚みの違うブレードを準備すれば螺子を緩めることにより容易に交替出来てしまう。
【０００８】また、施工箇所の狭い入隅部分では１００ｍｍ前後の小さな地ベラのブレード巾を調整したい時は、ブレードに複数個設けた貫通穴やスリッドの位置を選択的に合わせることにより、ブレードの向きを容易に調整出来る。
【０００９】そして、従来の様に小さな地ベラをいくつも持つ必要がなく、道具を入れる腰袋は軽量で且つ長時間の作業にも負担が軽減でき、ゆえに作業効率も上がる。
【００１０】さらに、異形のブレードが脱着可能になっているので、形状や厚みの違う異形のブレードの準備をするだけでいろいろな施工場所にも対応出来るため、地ベラを数種類も購入する必要がなくなり費用負担の軽減になる。
【図面の簡単な説明】
【００１１】
【図１】本考案の補修地ベラの実施例を示す正面図である。
【図２】他の実施例を示す正面図である。
【図３】握り手部及び異形ブレードの正面図である。
【考案を実施するための形態】
【００１２】  以下、添付図面に従って実施例を説明する。
１は木製等の握り手部。２は握り手部１の先端に設けられた螺子穴で、３は螺子穴２に螺合する螺子である。
４は異形の形状をしたブレード。
５は異形のブレード４を保持する保持部であって前記螺子穴２を有している。
６は螺子穴２に整合するように開けられた貫通穴。
７は螺子穴２に整合するスリッドであり、貫通穴６及びスリッド７は異形のブレード４に複数個設けられている。
【００１３】本考案の一実施例は上▲辻▼の如き構成からなるものであるから、握り手部１の螺子穴２に整合する貫通穴６とスリッド７を複数個有する異形のブレード４を異形のブレードの保持部５に当接し、施工箇所に適した異形のブレード４の形状や厚み、向き等を異形のブレード４の貫通穴６もしくはスリッド７の位置を選択的に合わせて前記の螺子３に締着する。
【産業上の利用可能性】本考案は補修地ベラを製造する産業で利用される
【符号の説明】
【００１４】  １  握り手部
２  螺子穴
３  螺子
４  異形のブレード
５  保持部
６  貫通穴
７  スリッド
【図１】
0003194905.tif 000003
【図２】
0003194905.tif 000004
【図３】
0003194905.tif 000005
(57)【要約】      （修正有）【課題】ブラシを用いて整髪する際、汚物の拡散を防ぐ両持ち手ブラシを提供する。【解決手段】ブラシの左右へ持ち手１を設けた両持ち手とすることで、どちらの手で整髪しても、一方向の整髪となるようにする。【選択図】図１
0003194907.tif 000002
【実用新案登録請求の範囲】
【請求項１】
ブラシ（２）の左右へ持ち手（１）を設けたことを特徴とする両持ち手ブラシ
【考案の詳細な説明】
【技術分野】
【０００１】両持ち手ブラシに関する。
【背景技術】
【０００２】  従来のブラシはハンドルが一方の為、一方の手で整髪すると、抜け毛、ほこり、ふけ等の汚物が一方に付着する、この状態で他方の手に持ち替え整髪すると、抜け毛、ほこり、ふけ等の汚物が頭髪に付着し拡散し不潔となる。
【先行技術文献】
【特許文献】
【０００３】  特許文献１は登録実用新案第３１３０４２２号考案の名称、ロールブラシ両手握りハンドル型は、ロール部分を挟んで左右にハンドル部分を付けた事を特徴としてあり、どちらの手でもヘアードライヤーとロールブラシを使いやすく整髪できるものとしてある。
【非特許文献】
【０００４】  非特許文献１は工業用ブラシでチャンネルロールブラシとある、両方の持ち手が可能とある。
【考案の概要】
【考案が解決しようとする課題】
【０００５】本考案は、ブラシを用いて整髪する際に汚物の拡散を防ぐ。
【課題を解決するための手段】
【０００６】本考案のブラシは、両持ち手とすることで、どちらの手で整髪しても、一方向の整髪となるよう、ブラシの左右へ持ち手を設けた。
【考案の効果】
【０００７】ブラシの左右へ持ち手を設けたことで、整髪時の抜け毛、ほこり、ふけ等の汚物を頭髪へ拡散することを防ぐ。
【図面の簡単な説明】
【０００８】
【図１】は、両持ち手一方向ブラシの全体を示す側面図であり、ブラシの左右へ持ち手を設けた構造である。
【考案を実施するための形態】
【０００９】従来の片方持ち手ブラシを、両持ち手ブラシとするもので、ブラシの両端へ持ち手１を設ける。
【００１０】その持ち手１は着脱可能としてもよい。
【実施例】
【００１１】図１は両持ち手ブラシの全体側面図であり、ブラシの毛２の左右へ持ち手１を設けた構造である。
【産業上の利用可能性】
【００１２】衣服や動物の整髪に利用できる。
【符号の説明】
【００１３】１  持ち手
２  ブラシの毛
【図１】
0003194907.tif 000003
(57)【要約】      （修正有）【課題】温度センサーを設置し、又低温、高温２温度を設定し、その２温度間でエア・コンディショナーのＯＮ，ＯＦＦを繰り返すことで、冷えすぎ・温めすぎを防止するエア・コンディショナー用リモコンを提供する。【解決手段】エア・コンディショナー用リモコン内部に温度センサー１を設置し、又高温設定２、低温設定３を行い、冷房・暖房切り替え設定４により、冷房時、暖房時のＯＮ，ＯＦＦを変更する。コントロール部５において、温度センサー１の感知温度により、冷房時は低温ＯＦＦ、高温ＯＮ、暖房時は低温ＯＮ、高温ＯＦＦになるよう、発信部６よりエア・コンディショナー本体に発信する。【選択図】図１
0003194902.tif 000002
【実用新案登録請求の範囲】
【請求項１】
エア・コンディショナー用リモコン内部に温度センサーを設置し、高低２温度の設定ができ、又冷房・暖房切り替えにより、温度センサーの感知温度により、冷房時高温ＯＮ、低温ＯＦＦ、暖房時高温ＯＦＦ、低温ＯＮをエア・コンディショナー本体に発信する機能を持つエア・コンディショナー用リモコン
【考案の詳細な説明】
【技術分野】
【０００１】  本考案は、エア・コンディショナーの温度を、設定した２温度間で維持することにより、冷えすぎ、温めすぎを防止するためのリモートコントロールに関するものである。
【背景技術】
【０００２】  現状のエア・コンディショナーの温度設定は１温度のみであり、しかもその温度を感知するセンサーはエア・コンディショナー本体にあることから、その近辺の温度によって強弱を繰り返す形態となっている。
そのため、使用する人間の近辺温度とは差異がある。    また、常にエア・コンディショナーが稼働状態にある事から、常時冷風又は温風が供給され、冷えすぎ又は温めすぎになっている。
【考案の概要】
【考案が解決しようとする課題】
【０００３】  温度センサーをリモートコントロール本体に設置し、使用する人間近辺での温度コントロールを行うと共に、高低２温度を設定し、その２温度間でＯＮ，ＯＦＦを繰り返すことによりエア・コンディショナーの常時稼働を防止し、冷えすぎ、温めすぎを防止する。
【課題を解決するための手段】
【０００４】  本考案は、リモートコントロール本体に温度センサーを設置し、リモートコントロール近辺での温度によって機能する。    また、高低２温度の設定により、２温度間でＯＮ，ＯＦＦを繰り返す事によりエア・コンディショナーの常時稼働を防止し、冷えすぎ、温めすぎの問題を解決する。
【図面の簡単な説明】
【０００５】
【図１】本考案のリモコン内部図である。
【考案を実施するための形態】
【０００６】  リモコン内部に温度センサーを設置し、高温、低温２温度の設定を行う。また、冷房時は低温ＯＦＦ、高温ＯＮ、暖房時は低温ＯＮ、高温ＯＦＦとなる切り替えを行う。
【実施例】
【０００７】  添付図面に従って実施例を説明する。  １の温度センサーによりリモコン近辺の温度を感知し、２で高温設定、３で低温設定を行い、また４の切り替え設定により冷房時、暖房時のＯＮ，ＯＦＦを変更する。    ５のコントロール部において、温度センサーの感知温度により、冷房時は低温ＯＦＦ、高温ＯＮ、暖房時は低温ＯＮ、高温ＯＦＦになるよう、６の発信部よりエア・コンディショナー本体に指示を出す。
【符号の説明】
【０００８】１  温度センサー
２  高温設定
３  低温設定
４  冷房・暖房切り替え設定
５  コントロール部
６  発信部
【図１】
0003194902.tif 000003
(57)【要約】      （修正有）【課題】極厚の鋼管を曲げられる螺旋曲げ管加工装置を提供する。【解決手段】外周部に所定ピッチで螺旋状の板８を巻着した円筒１を駆動装置を介して回転駆動可能に装着すると共に、円筒１の外周部に突設した被曲げ加工管着脱具３に、被曲げ加工管５の一端側を挿入して、ジャッキボルト７にて固着させた後、円筒１の外側に間隔を設けて配置した被曲げ加工管押付調整具４をスライド軸４ａで上又は、下に調整した後、駆動装置により螺旋状の板８を巻着した円筒１を回転させ、円筒１の外側に間隔を有して配置した被曲げ加工管押付調整具４が被曲げ加工管５の押付力を調整出来る様にした。更に、被曲げ加工管５は当然、被螺旋曲げ加工管押付調整具４で押圧したので、螺旋状の板８を巻着した円筒１が回転する時は、被曲げ加工管調整具４の回転ローラ４ｂも同時に回転し、螺旋状の曲げ管が出来上がった。【選択図】図１
0003194904.tif 000002
【実用新案登録請求の範囲】
【請求項１】
外周部に所定ピッチで螺旋状に板を巻着した円筒若しくは円柱と、同円筒若しくは同円柱を回転駆動する駆動装置と、前記円筒若しくは前記円柱の外周に固着して被曲げ加工管の一端側を把持する被曲げ加工管着脱具と、前記円筒若しくは円柱の外側に間隔を有して配置した被曲げ加工管押付調整具とからなることを特徴とする螺旋曲げ管加工装置。
【考案の詳細な説明】
【技術分野】
【０００１】本考案は、螺旋曲げ管加工装置に関する。【０００２】従来、この種の螺旋曲げ管装置は、曲げ管の肉厚が薄いパイプしか曲げられなかった。
【先行技術文献】
【特許文献】
【０００３】
【特許文献１】中国実用新案公告公報（ＣＮ２０１９３０９９７）
【０００４】
【考案が解決しようとする課題】
【０００５】従来の螺旋曲げ管加工装置は、構造が複雑で機械は高価で、しかも鋼管の肉厚が薄いパイプしか曲げられず、極厚の鋼管を曲げられる螺旋曲げ管加工装置の提供が切望されていた。
【問題を解決しようとする手段】
【０００６】上記の問題を解決する為に、本考案は外周部に所定ピッチで螺旋状に板を巻着した円筒若しくは円柱と、同円筒若しくは同円柱を回転駆動する駆動装置と、前記円筒若しくは前記円柱の外周に固着して被曲げ加工管の一端側を把持する被曲げ加工管着脱具と、前記円筒若しくは円柱の外側に間隔を有して配置した被曲げ加工管押付調整具とからなることを特徴とする螺旋曲げ管加工装置としたので、被曲げ加工管押付調整具が上下に作動調整出来る様になり、難題となっていた極厚鋼管曲げさらに、鋼管の楕円化も解消する事が出来きた。
【考案の効果】
【０００７】本考案に係る螺旋曲げ管加工装置は、円筒若しくは円柱の軸心に平行に間隔を有して配置した被曲げ加工管の押えガイドを、螺旋曲げ主軸の回転軸と同時に加工管の押えガイドも回転させる事で、曲げ加工管の楕円化率を極力小さくできた。さらに、被曲げ加工管の押えガイドを上下に作動させる事により、曲げ加工管の直径が異なる直径も調整でき、又、曲げ加工管の楕円化率も調整出来る様にした。しかも、従来の螺旋状曲げ加工装置は、鋼管の肉厚が薄いパイプしか曲げられなかったが、螺旋曲げ加工装置を肉厚鋼管及び極厚鋼管を曲げられるようにしたので、鋼管の装着の時間及び曲げ加工時間が短時間でさらに、螺旋状のピッチも正確に螺旋鋼管の真円の精度も向上したので、螺旋曲げ管の楕円化も低減出来た。
【図面の簡単な説明】
【０００８】
【図１】本考案に係る一実施例を示す螺旋曲げ管加工装置の正面図である。
【図２】図１を上部から見た平面図である。
【図３】図２の曲げ加工管の一端側を把持する着脱具の詳細説明図である。
【考案を実施する為の形態】
【０００９】以下、本考案に係る実施の形態を図面に基づき説明する。
【実施例】
【００１０】図１から図３は本考案に係る一実施例を示し、本実施例では外周部に所定ピッチで螺旋状の板８を巻着した円筒１を駆動装置２を介して回転駆動可能に装着すると共に、円筒１の外周部に突設した被曲げ加工管着脱具３に、被曲げ加工管５の一端側を挿入して、ジャッキボルト７にて固着させた後、円筒１の外側に間隔を設けて配置した被曲げ加工管押付調整具４をスライド軸４ａで上又は、下に調整した後、駆動装置２により螺旋状の板８を巻着した円筒１を回転させ、円筒１の外側に間隔を有して配置した被曲げ加工管押付調整具４が被曲げ加工管５の押付力を調整出来る様にした。更に、被曲げ加工管５は当然、被螺旋曲げ加工管押付調整具４で押圧したので、螺旋状の板８を巻着した円筒１が回転する時は、被曲げ加工管調整具４の回転ローラ４ｂも同時に回転し、図示省略の螺旋状の曲げ管が出来上がった。なお、本実施例では、螺旋状の板８を巻着した円筒１を用いたが、円柱を用いてもよい。
【産業上の利用可能性】
【００１１】本考案は螺旋曲げ管加工装置として、ボイラー、熱交換機等を製作する業界に使用する事が出来る。又、地中、水中等を螺旋状の温管にて暖める螺旋曲げ管を必要とする例えば、ビニールハウス栽培等にも使用する事が出来る。
【符号の説明】
【００１２】１    円筒若しくは円柱（外周部に所定ピッチで螺旋状に板を巻着）
２    駆動装置
３    曲げ加工管着脱具
４    曲げ加工管押付調整具
４ａ  曲げ加工管押付調整具のスライド軸
４ｂ  曲げ加工管押付調整具の回転ローラ
５    曲げ加工管
６    スライド軸
７    ジャッキボルト
８    螺旋状の板
【図１】
0003194904.tif 000003
【図２】
0003194904.tif 000004
【図３】
0003194904.tif 000005
(57)【要約】      （修正有）【課題】木材の小口を内側に配することにより吸湿、遮音性に優れた壁用建材とした集成材パネルを提供する。【解決手段】集成材パネルは、複数の木製角材の側面同士を碁盤状に結合し、小口３が室内側になるよう構成する。角材は長さの異なる２種類からなり、少なくとも短めの角材２が上下に整列されていることにより溝部４が形成されていることが好適である。【選択図】図１
0003194903.tif 000002
【実用新案登録請求の範囲】
【請求項１】
複数の木製角材の側面同士を碁盤状に結合し、小口面が室内側になるよう構成したことを特徴とする集成材パネル。
【請求項２】
前記角材は長さの異なる２種類からなり、少なくとも短い方の角材が上下に整列されていることにより溝部が形成されていることを特徴とする請求項１記載の集成材パネル。
【請求項３】
前記パネルには、縦横に複数の補強用部材が貫通していることを特徴とする請求項１または２記載の集成材パネル。
【請求項４】
前記補強用部材が金属であることを特徴とする請求項３記載の集成材パネル。
【考案の詳細な説明】
【技術分野】
【０００１】  本考案は、木材片を組み合わせて建築用材料とした集成材パネルに関する。
【背景技術】
【０００２】  建築用材料として、合板或いは集成材が使用されている。合板は薄い木板を複数枚重ねて貼り合わせたもので、建築用材料として広く使用されている。集成材は、小さな木板或いは木片を組み合わせて１枚の板を形成したもので、多くの方法が提案されている。【０００３】  例えば、特許文献１には、略正方形形状の複数個の板状木片が平面状に配置され、隣り合う板状木片の相対する端面同士が接着されてなる集成材であって、各板状木片の繊維方向が、隣り合う板状木片の繊維方向と概ね直行するように各板状木片が配置されてなる集成材が提案されている。使用する木片は厚みが１．２〜１５ｃｍで、柾目が表面に現れるように切り出したものを使用している。【０００４】
【特許文献１】実用新案登録第３１５６２１４号公報
【考案の開示】
【考案が解決しようとする課題】
【０００５】  本考案は、木材の小口を内側に配することにより吸湿、遮音性に優れた壁用建材を提供することを課題とする。
【課題を解決するための手段】
【０００６】  上記課題を解決するため本考案による集成材パネルでは、複数の木製角材の側面同士を碁盤状に結合し、小口面が室内側になるよう構成したことを特徴とする。前記角材は長さの異なる２種類からなり、少なくとも短い方の角材が上下に整列されていることにより溝部が形成されていることが好適である。【０００７】  また、前記パネルには、縦横に複数の補強用部材を貫通させることにより、強度を高めることができる。前記補強用部材は金属であることが望ましい。
【考案の効果】
【０００８】  本考案による集成材パネルでは、小口を室内側に面するよう配置するため、この小口を通して室内湿度が適度に調整され、また遮音効果も有する。小口は年輪が表面に現れるため、装飾効果も高い。また、裏側に溝部を形成することにより外壁との間に空気の流通経路が形成され、断熱性も高まる。
【考案を実施するための最良の形態】
【実施例】
【０００９】  以下、図面に基づいて本考案の好適な実施例について説明する。図１には、本考案による集成材パネルの斜視図を示す。図１は模式図であるため、使用する角材の数は便宜的なのである。例えば１ｃｍ角の長めの角材１と短めの角材２を横方向に交互に並べ、その上に同じ順番で両方の角材を並べて、所定のパネル寸法にする。長さは、例えば長めの角材１は１２．５ｃｍ、短めの角材２は１０ｃｍ程度とする。角材同士（柾目及び板目側）は例えば接着剤等により固着する。また、強度を高めるため、一定の間隔で鉄筋などの補強用金属部材５を縦横に貫通させる。【００１０】  図２は、図１に示した実施例の平面図である。長めの角材１と短めの角材２が交互に配置されるため、図２の上側に外壁を形成した場合、この外壁と短めの角材２との間に溝部４（空間）が形成され、空気の流通経路となる。【００１１】  図１のパネルの手前側は小口３が現れるため、室内装飾としても有効である。【００１２】  上記の実施例では、長めの角材１と短めの角材２を横方向に交互に並べることにより、垂直方向の溝部を形成したが、垂直方向においても長めの角材１の間に一定の間隔で短めの角材２を配置することにより、溝部４同士の連絡を図ることの可能である。
【産業上の利用可能性】
【００１３】  本考案による集成材パネルでは、間伐材等の低品位木材を使用して壁用集成材パネルを構成することができるため、資源の有効活用に利するものである。
【図面の簡単な説明】
【００１４】
【図１】本考案による集成材パネルの実施例を示す斜視図である。
【図２】図１に示した集成材パネルの平面図である。
【符号の説明】
【００１５】１    長めの角材
２    短めの角材
３    小口
４    溝部
５    補強用部材
【図１】
0003194903.tif 000003
【図２】
0003194903.tif 000004
(57)【要約】      （修正有）【課題】装飾性を有する縫い糸が露呈するように縫製することにより、美的なデザイン性を広げることができる縫製物を提供する。【解決手段】縫製物は、縫い糸２によって縫製される。縫い糸２は、各々異なる色に着色された複数本の原糸を撚ることにより形成された撚糸からなり、縫い糸２の複数本の原糸の色が露呈するように縫製する。【選択図】図１
0003194901.tif 000002
【実用新案登録請求の範囲】
【請求項１】
縫い糸によって縫製された縫製物であって、
前記縫い糸は、各々異なる色に着色された複数本の原糸を撚ることにより形成された撚糸からなり、
前記縫い糸の複数本の前記原糸の色が露呈するように縫製した縫製物。
【請求項２】
着色された複数本の原糸が、縫い糸よりも細い外径の撚糸である請求項１に記載の縫製物。
【考案の詳細な説明】
【技術分野】
【０００１】  本考案は、縫い糸によって縫製される衣服、手袋、帽子、靴、バッグ、財布等の縫製物に関する。
【背景技術】
【０００２】  一般に、衣服、手袋、帽子、靴、バッグ、或いは財布等の縫製物は、一枚の布地又は皮革を組み合わせ、適宜の形状に裁断した後に、ミシンまたは手縫いの手段により、縫い糸を用いて縫製される。通常の場合、縫製に使用される縫い糸は、縫製物の色彩に応じて適宜に着色されているが、この縫製物に装飾を施す場合であっても、単色の縫い糸が用いられる。
【考案の開示】
【考案が解決しようとする課題】
【０００３】  従来一般の縫製物は、縫製物の色彩やデザインに応じて、適宜の色の縫い糸を用い、縫い目に縫い糸の一部を露呈することにより、縫製物とのデザイン上のバランスを取るようにしている。しかしながら、単色の縫い糸は縫い目自体の装飾的役割を有することはあっても、縫製物全体のデザインや装飾性に関与しないことから、縫製物のデザインに制約を与えることがあった。【０００４】  そこで、本考案の目的は、この問題を解決し、装飾性を有する縫い糸が露呈するように縫製することにより、美的なデザイン性を広げることができる縫製物を提供することにある。
【課題を解決するための手段】
【０００５】  上記課題を解決するため、本考案による縫製物は、縫い糸によって縫製された縫製物であって、前記縫い糸は、各々異なる色に着色された複数本の原糸を撚ることにより形成された撚糸からなり、前記縫い糸の複数本の前記原糸の色が露呈するように縫製したことを要旨としている。【０００６】  また、着色された複数本の原糸としては、縫い糸よりも細い外径の撚糸とすることが望ましい。
【考案の効果】
【０００７】  本考案の縫製物によれば、各々異なる色に着色された複数本の原糸を撚ることにより形成された撚糸によって縫い糸を使用し、この複数本の原糸の色が露呈するように縫製物が縫製されているので、衣服や靴、バッグ、或いは財布等の形状、色彩等のデザインとともに、露呈される縫い糸の色彩によって、美的なデザイン性を広げることができる。【０００８】  また、着色された複数本の原糸として、縫い糸よりも細い外径の撚糸とするならば、一般に市販の種々の色の撚糸を組み合わせることができるので、複数色の所定の外形の縫い糸を簡便に作成することが可能となる。
【図面の簡単な説明】
【０００９】
【図１】本考案に関わる縫製物の実施例を示す斜視図である。
【図２】図１に示す縫製物の縫製状態を示す一部拡大図である。
【図３】撚糸を形成する状態を示す説明図である。
【図４】（Ａ）（Ｂ）は、撚糸により縫製した状態を示す断面図である。
【考案を実施するための最良の形態】
【００１０】  本考案による縫製物は、縫い糸によって縫製された縫製物であって、前記縫い糸は、各々異なる色に着色された複数本の原糸を撚ることにより形成された撚糸からなり、前記縫い糸の複数本の前記原糸の色が露呈するように縫製されている。【００１１】  以下、図面に基いて本考案の好適な実施例について説明する。図１は、本考案による縫製物の一例として、皮革によって制作された財布１を示している。この財布１における形状、構造、或いは皮革の色は、周知の財布と同様であり、その詳細な説明は省略する。【００１２】  財布１は、外縁近傍、及び、ベロ１ａの外縁近傍が縫い糸２によって縫製されている。この縫い糸２は、図１の拡大円、及び、図２に示すように、例えば、赤、黄、青などの異なる色彩に着色された３本の原糸２ａ、２ｂ、２ｃを撚ることにより形成された撚糸である。原糸２ａ、２ｂ、２ｃは、綿糸、絹糸、麻糸、或いは、ナイロン、テフロン等の化学繊維のいずれから選択される。そして、縫い糸２は、各々の原糸２ａ、２ｂ、２ｃの色が財布１の表面から露呈するように縫製されている。これにより、縫い糸２の３本の原糸２ａ、２ｂ、２ｃが、傾斜した状態で交互に露呈されている。【００１３】  ３本の原糸２ａ、２ｂ、２ｃによって撚られた縫い糸２は、図３に示すように形成される。まず、縫い糸２よりも細い外径であって、各々が異なる色彩に着色された３本の原糸２ａ、２ｂ、２ｃを用意し、始めに、これらの原糸２ａ、２ｂ、２ｃに対して周知の撚糸の製法と同様に下撚を行う。その後、３本の原糸２ａ、２ｂ、２ｃを撚りながら１本に合わせる上撚を行うことによって、図３の右方に示すような、所定の外径を有する撚糸が形成される。この撚糸は、縫い糸２として縫製に使用される。【００１４】  縫い糸２をこのように形成することにより、縫い糸２自体には、各原糸２ａ、２ｂ、２ｃの色彩が交互に出現する。この結果、デザイン性に優れた新たな縫い糸２が形成される。各原糸２ａ、２ｂ、２ｃは、一般的な撚糸を製造する場合と同様の非撚糸を用いても良く、或いは、市販の着色されたミシン糸や裁縫糸を用いても良い。また、１本に合わせる上撚時に強弱を付けることにより、各原糸２ａ、２ｂ、２ｃの色彩の出現間隔を変化させることができる。さらに、各原糸２ａ、２ｂ、２ｃは、単色でなくても、色彩を変化させた飾り糸を使用することにより、縫い糸２としてのデザイン性を変化させることが可能となる。【００１５】  図４は、上述した縫い糸２によって縫製した状態を示している。縫製物３に使用する２枚の布地または皮革を縫製する場合、図４（Ａ）に示すように、ミシンを用いて縫製する方法、或いは、主に厚手の皮革を縫製する場合には、図４（Ｂ）に示すように、手縫いにする方法があり、縫製物３の材質やデザインから適宜に選択する。【００１６】  以上、本考案を実施例に基づき具体的に説明したが、本考案は上記実施例に限定されるものではなく、その要旨を逸脱しない範囲で種々変形可能であることは言うまでもない。例えば、上述した実施例においては、縫製物として皮革を素材とした財布を例示したが、縫い糸によって縫製される縫製物として、衣服、手袋、帽子、靴、バッグ等であっても同様である。また、縫い���は、３本の原糸からなる撚糸のみならず、２本以上の複数の撚糸によって、多様な色彩を有する撚糸としても良い。
【産業上の利用可能性】
【００１７】  本考案は、衣服、手袋、帽子、靴、バッグ等の縫製物置に適用可能である。
【符号の説明】
【００１８】１  財布（縫製物）
２  縫い糸
２ａ、２ｂ、２ｃ  原糸
３  縫製物
【図１】
0003194901.tif 000003
【図２】
0003194901.tif 000004
【図３】
0003194901.tif 000005
【図４】
0003194901.tif 000006
(57)【要約】      （修正有）【課題】膝、肘、足首などの関節の屈伸動作によっても歪みにくく、ずれ動きにくい、装着位置に留まって屈伸動作に順応し、充分な効果を得られる関節用サポーターを提供する。【解決手段】伸縮性と弾力性とを有する編地をもって円筒状のサポーター本体１を形成すると共に屈曲性と弾力復元性とを有するフレックスボーン４をサポーター本体の両側面における長手方向に沿って設け、且つ、サポーター本体の内側面における膝部の膝蓋骨に当接する所定位置にシリコンゴムなどクッション性ある弾性素材製からなる楕円リング状の弾性パッドを一体に設けたことを特徴とする。【選択図】図３
0003194924.tif 000002
【実用新案登録請求の範囲】
【請求項１】
伸縮性と弾力性とを有する編地をもって円筒状のサポーター本体を形成すると共に屈曲性と弾力復元性とを有するフレックスボーンを前記サポーター本体の両側面における長手方向に沿って設け、且つ、サポーター本体の内側面における膝部の膝蓋骨に当接する所定位置にシリコンゴムなどクッション性ある弾性素材製からなる楕円リング状の弾性パッドを一体に設けたことを特徴とする関節用サポーター。
【考案の詳細な説明】
【技術分野】
【０００１】
本考案は、膝、肘、足首などの関節を保護するために使用する関節用サポーターに関するものである。
【背景技術】
【０００２】
従来の膝、肘、足首などを保護する関節用サポーターは、伸縮性を備えた円筒状編地からなり、関節部分を保護したり、保温したり、捻挫、肉離れ、関節痛などの疾患の回復、予防などのために一般に使用されている。
【０００３】
然し乍ら、この種サポーターは関節の屈伸動作に連れて歪んで、ずれ動きやすいことから、充分なサポート効果をあげ得ないことがあり得るという問題点があった。
【特許文献１】実用新案登録第２５３６８５５公報
【考案の開示】
【考案が解決しようとする課題】
【０００４】
本考案は、如上の問題点に鑑みてこれを解決すべく案出したものであって、膝、肘、足首などの関節の屈伸動作によっても歪みにくく、ずれ動きにくい、装着位置に留まって屈伸動作に順応し、充分なサポート効果を得られる関節用サポーターを提供することを目的とするものである。
【課題を解決するための手段】
【０００５】
本考案の関節用サポーターは、伸縮性と弾力性とを有する編地をもって円筒状のサポーター本体を形成すると共に屈曲性と弾力復元性とを有するフレックスボーンを前記サポーター本体の両側面における長手方向に沿って設け、且つ、サポーター本体の内側面における膝部の膝蓋骨に当接する所定位置にシリコンゴムなどクッション性ある弾性素材製からなる楕円リング状の弾性パッドを一体に設けたことを最も主要な特徴とするものである。
【考案の効果】
【０００６】
本考案の関節用サポーターは、伸縮性と弾力性とを有する編地をもって円筒状のサポーター本体を形成すると共に屈曲性と弾力復元性とを有する任意数のフレックスボーンを前記サポーター本体の一側面若しくは両側面における長手方向に沿って設けたことから、これを膝、肘などの関節に装着して使用した際、関節の屈伸動作によってもサポーター本体の歪み変形の度合いを少なく抑え、ずれが起こりにくく、関節を適正位置において確実に保護することができ、関節に対し、ずれのない適正な屈伸動作を効果的にサポートし得て、Ｏ脚やＸ脚の抑制、矯正に資することもできる。
【０００７】
併せて、弾性パッドが膝の膝蓋骨の周部に嵌合して膝を強力に保護することにより、膝のグラつきを抑えて膝蓋骨周囲を効果的にサポートすることができる。
【０００８】
本考案は、膝、肘、足首などにおける関節の屈伸動作によっても歪みにくく、ずれ動きにくい、所定の装着位置に留まって屈伸動作に順応し、充分なサポート効果を得られる関節用サポーターを実現したものである。
【実施例１】
【０００９】
本考案に係る関節用サポーターを図示する実施例に基づいて以下に説明する。
【００１０】
伸縮性、弾力性を有する糸を使用して筒状に編成してなるサポーター本体１を形成する。図示する実施例は膝関節に使用するものであって、上部から下部に向かってその経を縮めて若干テーパー状に形成している。
【００１１】
上記の如くなるサポーター本体１における膝の両側に当たる長手方向の中央部に各々テープ状の当て布２、２を設けて収納部３、３を形成し、該収納部３、３の内部には図３に例示すように任意数のフレックスボーン４を収納している。
【００１２】
該フレックスボーン４は、弾力性に優れた合成樹脂製や形状記憶合金製などで屈曲可能にして且つ優れた復元性を有するものが好適である。該フレックスボーン４は収納部３、３に収納設置することも、また、収納部３、３の上端に開閉可能な蓋片（図示省略）等を設けて、収納部３、３内に収納するフレックスボーン４を任意に出し入れして、その本数を調節可能に設定することができるよう構成することもできる。
【００１３】
また、サポーター本体１の内側面における膝蓋骨に当接する所定部位に楕円リング状のシリコンゴムなどクッション性のある弾性素材製からなる弾性パッド５を一体に取り付けている。
【００１４】
上記の如くなるサポーター本体１を膝に装着すると、両側面に取り付けた屈曲性と弾力復元性とを有するフレックスボーン４、４の付勢作用によって膝関節を適正位置で確実に保護し、ずれのない適正な屈伸動作を効果的にサポートすることができ、円滑な歩行、走行に役立てることができる。これにより、Ｏ脚やＸ脚の抑制、矯正に資することもでき得る。
【００１５】
上記した本実施例では、膝用のサポーターを基に本考案の構成、効果を説明したが、サポーター本体１を肘や足首に適合するサイズや形状に各々適合させるよう設定することによって、膝のみならず肘、足首などの各々の関節用のサポーターとしても各々同等の効果を奏することができるものである。
【図面の簡単な説明】
【００１６】
【図１】本考案に係る関節用サポーターの実施例を示す正面図である。
【図２】同右面図である。
【図３】部分切欠状態の同左面図である。
【図４】部分切欠状態の同背面図である。
【符号の説明】
【００１７】
１    サポーター本体
２    当て布
３    収納部
４    フレックスボーン
５    弾性パッド
【図１】
0003194924.tif 000003
【図２】
0003194924.tif 000004
【図３】
0003194924.tif 000005
【図４】
0003194924.tif 000006
(57)【要約】      （修正有）【課題】様々な形状のスマートフォンに対応しスライド式パーツを使う事でスマートフォンのカメラ撮影時において、カバーから着脱することなく撮影ができるスマートフォン用カバーを提供する。【解決手段】スライド式パーツ３を使う事によりスマートフォンのカメラ撮影時において、カバーから着脱することなく撮影ができるスライド式マルチカバー。上記スライド式パーツはポリカーボネート製の成型品とナイロンベルト２を利用し、スマートフォンの固定は粘着シート４を使い固定する。【選択図】図１
0003194926.tif 000002
【実用新案登録請求の範囲】
【請求項１】
上下スライド式パーツを備えたスマートフォン用カバー
【請求項２】
前記スライド式パーツはポリカーボネード製の成型品とナイロンベルトを利用しスマートフォンの固定は粘着シートを使い固定する請求項１のスマートフォン用カバー
【考案の詳細な説明】
【技術分野】
【０００１】
本案件は様々なサイズのスマートフォンに対応するケースであり、スマートフォンでのカメラ撮影時にケースのスライドパーツ部分をスライドする事で着脱することなくカメラ撮影ができるケースに関する。
【技術背景】
【０００２】
従来、スマートフォンは機種それぞれの形状かつカメラ位置が設定されている。そこで、スマートフォンそれぞれの専用ケースがある。
【考案の概要】
【考案が解決しようとする課題】
【０００３】
本考案は、様々な形状のスマートフォンに対応することができ、かつスライド式パーツを使うことでスマートフォンでのカメラ撮影時においてカバーから着脱することなくスムーズに撮影する事ができる。
【議題を解決するための手段】
【０００４】
本考案は、スライド式パーツをカバーにつける事でスマートフォンの形状にとらわれずスマートフォンでのカメラ撮影をすることができる。
【考案の効果】
【０００５】
本考案のスライド式マルチスマートフォンカバーを使う事で、様々な形状のスマートフォン向けカバーを提供でき、かつスマートフォンでのカメラ撮影時にカバーから着脱することなく撮影することができる。
【図面の簡単な説明】
【０００６】
【図１】本考案にかかわるスライド式マルチスマートフォンカバーの形状を示したものである。
【図２】本考案にかかわるスライドパーツ部分を示したものである。
【図３】本案件にかかわるスライド式パーツにスマートフォンのカメラ撮影時のイメージを示したものである。
【考案を実施するための形態】
【０００７】
図３のよう様々な形状のスマートフォンに対応しスマートフォンでのカメラ撮影時にカバーから着脱することなく撮影することができる。
【符号の説明】
【０００８】
１  スマートフォンカバー
２  スライド用ベルト
３  スライド用パーツ
４  スマートフォン固定用粘着剤
５  側面から見たスライド用ベルト
６  側面から見たスライド用パーツ
７  側面からみたスマートフォン固定用粘着剤
８  側面からみたスマートフォンカバー
９  スマートフォン
１０スマートフォンカバー
１１スライド用ベルト
【図１】
0003194926.tif 000003
【図２】
0003194926.tif 000004
【図３】
0003194926.tif 000005
(57)【要約】      （修正有）【課題】電極材料が溶解せず、液体の汚濁も発生しない、安全な電気式湯たんぽの発熱装置を提供する。【解決手段】交流端子に電解質を含む水溶液に不溶のカーボンやチタンを主材料とする棒状電極７、８を接続し、さらにこれら電極同士が接触しないように一定の間隔を保持するための支持具９に固定した。【選択図】図１
0003194928.tif 000002
【実用新案登録請求の範囲】
【請求項１】
交流端子にカーボンを主材料とする棒状電極を接続し、電極間距離を一定に保つ支持具を具備した発熱装置。
【請求項２】
交流端子にチタンを主材料とする棒状電極を接続し、電極間距離を一定に保つ支持具を具備した発熱装置。
【考案の詳細な説明】
【技術分野】
【０００１】
この考案は、電気式湯たんぽの熱源に関するものであり、塩水に交流電圧をかけ、塩水を直接温める装置に関するものである。
【背景技術】
【０００２】
従来、電気式湯たんぽは、水に塩化ナトリウムなどの不純物を加え、その液体に交流電圧を印加することにより  液体を発熱体として温度上昇させたり、ヒーターを利用して液体の温度上昇をさせていた。
【先行技術文献】
【特許文献】
【０００３】
【特許文献１】実用新案登録第３１２６１６７号
【考案の概要】
【考案が解決しようとする課題】
【０００４】
そのため次のような問題点があった。
交流端子に接続する電極として、真鍮や銅などの金属材料を使用して交流電圧を印加すると、金属材料が溶解したり炭酸塩や水酸塩などが析出して液体が濁ることなどにより液体が温度上昇しなくなったり、逆に急激な温度上昇や気体発生のため湯たんぽが膨張して破裂にいたることもあった。また上記金属材料を使用した場合、交流電圧を印加しなくても塩水による金属電極の腐食や通電不良が発生することがあった。本考案は以上の問題点を解決するためになされたものである。
【課題を解決するための手段】
【０００５】
本考案は上述の課題を解決するために、交流端子に接続する電極として、塩化ナトリウムなどの電解質を含む水溶液中で不溶性を示すカーボンやチタンなどの棒状材料を接続し、さらに交流端子電極同士が接触しないように一定の間隔を保持するための支持具に固定した。
【考案の効果】
【０００６】
電極材料が溶解せず、液体の汚濁も発生しない、安全な発熱装置を提供することができる。
【図面の簡単な説明】
【０００７】
【図１】本考案の電気式湯たんぽ配線図
【考案を実施するための形態】
【０００８】
交流端子に電気的に接続する電極材料として棒状のカーボンないしチタンを、電極間距離が一定になるように固定させて水溶液中に入れ、その交流端子電極に交流電圧を印加する。
【実施例】
【０００９】
図１を用い、本発熱装置を説明する。
電気式湯たんぽは電源コード、プラグ１、電気式湯たんぽ３で構成されている。電気式湯たんぽの構造は、電源ソケット２、サーモスタット４、温度ヒューズなどの安全機構５、ＬＥＤなどの表示器６、発熱装置１１で形成されている。発熱装置１１は一対の交流端子電極７、８と、これら交流端子電極を固定する支持体９から成り、水溶液１０を発熱体として、交流端子電極７と交流端子電極８との間に交流電流が流れ、水溶液の温度が上昇する。
【符号の説明】
【００１０】
１     電源コード、プラグ
２     電源ソケット
３     湯たんぽ
４     サーモスタット
５     温度ヒューズ
６     ＬＥＤ
７     交流端子電極
８     交流端子電極
９     支持体
１０   水溶液
１１   発熱装置
【図１】
0003194928.tif 000003